(57)【要約】【課題】  外周縁部にパネル支持面とその先端縁に立上片を有する床パンを設け、金属板からなる壁パネル本体の下端部を外方へ折り曲げた折曲片を有する壁パネルを設け、この床パンのパネル支持面上に壁パネルの折曲片を支持させて床パン上に壁パネルを立設状態に接合する床パンと壁パネルの接合構造において、浴室を設置する収納空間の壁面と壁パネルとの距離を短くして浴室内の容積を大きくできる床パンと壁パネルの接合構造を提供すること。【解決手段】  補強部３ａを設け、この補強部３ａ後部に下方開口のフック部を設けてハンガー３を形成し、壁パネル２本体下端部の後面に接して補強部３ａを固定し、フック部に立上片１ｃを挟着させて床パン１と壁パネル２とを接合するようにした。【選択図】  図１
2005336847.tif 000002
【特許請求の範囲】
【請求項１】
外周縁部にパネル支持面とその先端縁に立上片を有する床パンを設け、金属板からなる壁パネル本体の下端部を外方へ折り曲げた折曲片を有する壁パネルを設け、この床パンのパネル支持面上に壁パネルの折曲片を支持させて床パン上に壁パネルを立設状態に接合する床パンと壁パネルの接合構造であって、補強部を設け、この補強部後部に下方開口のフック部を設けてハンガーを形成し、壁パネル本体下端部の後面に接して補強部を固定し、フック部に立上片を挟着させて床パンと壁パネルとを接合してなることを特徴とする床パンと壁パネルの接合構造。
【請求項２】
折曲片の外周縁に起立片を立設し、補強部を壁パネル本体の下端部と起立片との隙間に圧入固定し、立上片と起立片とを重ねた状態でフック部に挟着させて床パンと壁パネルとを接合してなることを特徴とする請求項１記載の床パンと壁パネルの接合構造。
【請求項３】
起立片に係止孔を設け、この係止孔に係止する抜け止め部を補強部後部に突設してなることを特徴とする請求項２記載の床パンと壁パネルの接合構造。
【請求項４】
立上片の内面上部を外方へ傾斜するテーパ状に形成してなることを特徴とする請求項１乃至３のいずれかに記載の床パンと壁パネルの接合構造。
【請求項５】
外周縁部にパネル支持面とその先端縁に立上片を有する床パンを設け、金属板からなる壁パネル本体の下端部を外方へ折り曲げた折曲片を有する壁パネルを設け、この床パンのパネル支持面上に壁パネルの折曲片を支持させて床パン上に壁パネルを立設状態に接合する床パンと壁パネルの接合構造であって、折曲片の先端縁に下方開口のＵ字型のフック部を立設し、補強部を壁パネル本体の下端部とフック部の内側片との隙間に圧入するとともに、フック部に立上片を挟着させて床パンと壁パネルとを接合してなることを特徴とする床パンと壁パネルの接合構造。
【発明の詳細な説明】
【技術分野】
【０００１】
本発明は、床パンの四方に壁パネルを立設状態に支持してユニット式浴室などを組み立てるための床パンと壁パネルの接合構造に関する。
【背景技術】
【０００２】
従来、壁パネルを床パン上に起立保持させるのに際して、壁パネルにハンガーを取り付け、このハンガーを介して床パンに壁パネルを取り付けるものが提案されている。（特開２００３―２７７５８号公報）
この床パンと壁パネルの接合構造では、金属板製のパネルの下端部において、パネル表面よりパネル下端面、パネル表面に略平行となるパネル下部背面を一連に折り曲げ、パネル下部背面に大径孔と長孔をパネル幅方向に連ねた取付孔を打ち抜きにて形成し、壁パネルを床パンに掛け止めするハンガーに床パンの外周の起立片に係止する係止溝と、パネル下部背面に当接する当接面を設け、当接面に大径孔よりは小さく長孔の幅よりは大きい大径抜止め部を備えたダボを形成し、ハンガーの係止溝を床パンの起立片に係止し、大径孔を通過したダボを長孔に係止しているものである。金属板を打ち抜きにて形成している取付孔は、パネル表面と略平行となってパネル背面に折り返されて形成されたパネル下端背面に形成されていて、浴室などにおいて水はパネル下端背面にまで廻り込み難く、パネル下端背面に形成した取付孔において錆が生じ難く、又、錆が発生してもパネル表面までは遠いのでパネル表面に錆が波及するのを回避することができるという利点がある。
【０００３】
しかしながらこの床パンと壁パネルの接合構造では、パネル下部背面に当接して固定されるハンガーの当接面があり、この当接面の後方に床パンの起立片に係止する係止溝が形成されているので、パネル下部背面と床パンの起立片との間に隙間が必要になって床パンのパネル支持面が前後方向に長くなり、浴室を設置する収納空間の壁面と壁パネルとの長さが長くなり、浴室内の容積を大きくできないという問題がある。
【特許文献１】特開２００３―２７７５８号公報
【発明の開示】
【発明が解決しようとする課題】
【０００４】
本願発明は、前記事由に鑑みてなされたものであり、その課題は、浴室を設置する収納空間の壁面と壁パネルとの距離を短くして浴室内の容積を大きくできる床パンと壁パネルの接合構造を提供することである。
【課題を解決するための手段】
【０００５】
前記課題を解決するために、外周縁部にパネル支持面とその先端縁に立上片を有する床パンを設け、金属板からなる壁パネル本体の下端部を外方へ折り曲げた折曲片を有する壁パネルを設け、この床パンのパネル支持面上に壁パネルの折曲片を支持させて床パン上に壁パネルを立設状態に接合する床パンと壁パネルの接合構造であって、補強部を設け、この補強部後部に下方開口のフック部を設けてハンガーを形成し、壁パネル本体下端部の後面に接して補強部を固定し、フック部に立上片を挟着させて床パンと壁パネルとを接合してなるよう形成したものである。
【発明の効果】
【０００６】
本願発明の床パンと壁パネルの接合構造においては、ハンガーの補強部が壁パネル本体下端部の後面に接して固定され、補強部後部に設けたフック部に床パンの立上片を挟着させて床パンと壁パネルとを接合しているので、壁パネルの折曲片先端と床パンの立上片との間に隙間を設ける必要がなく、床パンのパネル支持面の前後方向長さを短くすることができる。したがって、浴室を設置する収納空間の壁面と壁パネルとの距離を短くして浴室内の容積を大きくできる。
【発明を実施するための最良の形態】
【０００７】
以下に、本発明の実施の形態を添付図面とともに説明する。
【０００８】
図１は、本発明の一実施形態の床パンと壁パネルの接合構造を示す要部の縦断面図である。また図２は、同上の床パンと壁パネルの接合構造の要部を示す斜視図である。また図３は、同上の床パンと壁パネルの接合構造を用いた浴室の平面図である。
【０００９】
図１〜図３に示すように、この床パンと壁パネルの接合構造は、外周縁部にパネル支持面１ｂとその先端縁に立上片１ｃを有する床パン１を設け、金属板からなる壁パネル２本体の下端部を外方へ折り曲げた折曲片２ｂを有する壁パネル２を設け、この床パン１のパネル支持面１ｂ上に壁パネル２の折曲片２ｂを支持させて床パン１上に壁パネル２を立設状態に接合するものであり、補強部３ａを設け、この補強部３ａ後部に下方開口のフック部を設けてハンガー３を形成し、壁パネル２本体下端部の後面に接して補強部３ａを固定し、フック部に立上片１ｃを挟着させて床パン１と壁パネル２とを接合している。また折曲片２ｂの外周縁に起立片２ｃを立設し、補強部３ａを壁パネル２本体の下端部と起立片２ｃとの隙間に圧入固定し、立上片１ｃと起立片２ｃとを重ねた状態でフック部に挟着させて床パン１と壁パネル２とを接合しているものである。
【００１０】
壁パネル２は、床パン１の四辺の外周部に設けたパネル支持面１ｂ上に起立され、一つの壁パネル２はドアを備えたドアパネルとなり、壁パネル２の上端間に天井パネルが架設されて、例えば浴室及び洗面室がユニット化されて構成される。
【００１１】
壁パネル２は、金属板の外周部を折り曲げて裏面に石膏ボードなどの断熱材４を付設して形成されている。壁パネル表面２ａ下縁より下部を後方へ略直角に折り曲げて折曲片２ｂを形成し、この折曲片２ｂの先端側を壁パネル表面２ａと略平行となるよう上方へ折り曲げて起立片２ｃを形成している。
【００１２】
床パン１は、一体成形により浴室床面の周縁部に立ち上げ部１ａを立設し、この立上げ部の上端縁に外方へ向けて略水平のパネル支持面１ｂを延設し、このパネル支持面１ｂの先端縁に立上片１ｃを立設して形成されるものである。立上片１ｃは、内面上部が外方へ傾斜するテーパ状に形成してあり、その長さは隣接する壁パネル２の起立片２ｃよりもやや長く形成されている。
【００１３】
壁パネル２は、起立片２ｃを床パン１の立上片１ｃの前面に接した状態で、折曲片２ｂ下面をゴムパッキン５を介して床パン１のパネル支持面１ｂ上に起立支持している。このゴムパッキン５は床パン１のパネル支持面１ｂ上に接着テープ状のものを貼着して敷き詰められている。また、この状態でゴムパッキン５前方の壁パネル２下端縁と床パン１の立上げ部上端縁との隙間に防水コーキング材６が塗設されて、浴室内の水分が壁パネル２と床パン１の隙間から浴室外へ漏れないよう防水している。
【００１４】
ハンガー３は、ポリアセタールなどの樹脂材料から形成され補強部３ａとフック部とを有している。補強部３ａは、前後方向が壁パネル２の裏面と起立片２ｃ前面との隙間距離よりも前後方向がやや長い直方体形状に形成され、壁パネル２の裏面と起立片２ｃ前面との隙間に圧入により挟着保持されているものである。フック部は、補強部３ａの上面後端部より上方へ立設された立設片３ｂと、この立設片３ｂ上端部に後方へ略水平に延設された水平片３ｃと、この水平片３ｃの後端に垂下された垂下片３ｄとから形成されている。立設片３ｂと水平片３ｃとの角部には面取り部３ｆが形成されており、垂下片３ｄの下端部は斜め後方へ折り曲げて誘い込み部３ｅを形成している。補強部３ａ後面とフック部の垂下片３ｄ前面との隙間距離は床パン１の立上片１ｃと壁パネル２の起立片２ｃの各前後方向の厚みを足したものよりやや狭く形成され、フック部の隙間に床パン１の立上片１ｃと壁パネル２の起立片２ｃを重ねた状態で圧入して挟着保持している。補強部３ａは壁パネル２裏面に接して壁パネル２の後方への倒れを防止している。
【００１５】
このような床パン１に壁パネル２を接合するには、まず床パン１のパネル支持面１ｂ上ににゴムパッキン５を介して折曲片２ｂを当接させ起立状態に保持し、次に壁パネル２後方のパネル裏面と起立片２ｃとの隙間に斜め上方からハンガー３の補強部３ａを挿入し、フック部の下方開口より床パン１の立上片１ｃを挿入し、ハンマーなどでハンガー３の水平片３ｃを叩いてハンガー３の補強部３ａおよび床パン１立上片１ｃを各隙間に強く押し込んで圧入することにより行われる。
【００１６】
このような床パンと壁パネルの接合構造においては、ハンガー３の補強部３ａが壁パネル２本体下端部の後面に接して固定され、補強部３ａ後部に設けたフック部に床パン１の立上片１ｃを挟着させて床パン１と壁パネル２とを接合しているので、壁パネル２の折曲片２ｂ先端と床パン１の立上片１ｃとの間に隙間を設ける必要がなく、床パン１のパネル支持面１ｂの前後方向長さを短くすることができる。したがって、浴室を設置する収納空間の壁面と壁パネル２との距離を短くして浴室内の容積を大きくできる。
【００１７】
また、床パン１の立上片１ｃの内面上部が外方へ傾斜するテーパ状に形成してあるので、ハンガー３の圧入時に、補強部３ａ後面をこのテーパ面１ｄに滑らすようにして補強部３ａを斜め後方から壁パネル２裏面と起立片２ｃとの隙間に挿入することができ、この作業性が向上している。特に壁パネル２裏面に断熱材４などが付設されている場合、断熱材４に邪魔されずにハンガー３を取り付けやすい。さらにハンガー３の垂下片３ｄの下端部は斜め後方へ折り曲げて幅広の誘い込み部３ｅを形成しているので、この誘い込み部３ｅに床パン１の立上片１ｃを挿入しやすくなっている。また、壁パネル２は起立片２ｃがあるため、表面コート層がなく錆び易い起立片２ｃ先端部が浴室目地よりも遠い位置にあり、起立片２ｃ先端部の防錆びに効果がある。またフック部に挟着されて床パン１の立上片１ｃと壁パネル２の起立片２ｃとが圧接されているので、目地からパネル支持面１ｂ上に侵入した浴室内の水分が床パン１の立上片１ｃと壁パネル２の起立片２ｃとの隙間から後方への漏水を防止している。
【００１８】
図４は、本発明の実施形態の同上と異なる床パンと壁パネルの接合構造を示す要部の縦断面図である。
【００１９】
図４に示すように、この床パンと壁パネルの接合構造は、前述したものと略同様のものである。異なる点は、起立片２ｃに係止孔２ｄを設け、この係止孔２ｄに係止する抜け止め部を補強部３ａ後部に突設していることである。係止孔２ｄは、起立片２ｃの略中央に丸孔状に穿設されており、対応する抜け止め部は係止孔２ｄにちょうど嵌り合う大きさの半球状に形成され、補強部３ａ下面が壁パネル２の折曲片２ｂ上面に当接したときに係止孔２ｄに対向する位置に設けられている。
【００２０】
このような床パンと壁パネルの接合構造では、補強部３ａを斜め後方から壁パネル２裏面と起立片２ｃとの隙間に挿入させ、補強部３ａ下面が壁パネル２の折曲片２ｂ上面に当接するまで押しこむ。このとき抜け止め部が係止孔２ｄに係止するので、壁パネル２裏面と起立片２ｃとの隙間から補強部３ａが抜け出ることを防止し、床パン１と壁パネル２の接合強度が向上している。
【００２１】
図５は、本発明の実施形態の同上と異なる床パンと壁パネルの接合構造を示す要部の縦断面図である。
【００２２】
図５に示すように、この床パンと壁パネルの接合構造は、前述したものと略同様のものである。異なる点は、壁パネル２に起立片２ｃを形成していないことと、補強部３ａの前面および下面を接着材７を介して壁パネル２裏面および折曲片２ｂ上面に固着していることである。
【００２３】
このような床パンと壁パネルの接合構造では、予め壁パネル２にハンガー３を取り付けておき、ハンガー３のフック部に床パン１の立上片１ｃを圧入して床パン１と壁パネル２とを接合する。この場合、予め壁パネル２にハンガー３を取り付けておくことができ、浴室ユニットの組立て施工性が向上している。
【００２４】
図６は、本発明の実施形態の同上と異なる床パンと壁パネルの接合構造を示す要部の縦断面図である。
【００２５】
図６に示すように、この床パンと壁パネルの接合構造は、外周縁部にパネル支持面１ｂとその先端縁に立上片１ｃを有する床パン１を設け、金属板からなる壁パネル２本体の下端部を外方へ折り曲げた折曲片２ｂを有する壁パネル２を設け、この床パン１のパネル支持面１ｂ上に壁パネル２の折曲片２ｂを支持させて床パン１上に壁パネル２を立設状態に接合するものであり、折曲片２ｂの先端縁に下方開口のＵ字型のフック部を立設し、補強部３ａを壁パネル２本体の下端部とフック部の内側片との隙間に圧入するとともに、フック部に立上片１ｃを挟着させて床パン１と壁パネル２とを接合している。
【００２６】
このような床パンと壁パネルの接合構造では、補強部３ａを予め壁パネル２本体の下端部とフック部の内側片との隙間に圧入固定しておき、壁パネル２のフック部に床パン１の立上片１ｃを圧入して床パン１と壁パネル２とを接合する。この場合、予め壁パネル２にハンガー３を取り付けておくことができ、浴室ユニットの組立て施工性が向上している。また補強部３ａは壁パネル２の後方への倒れを防止するとともに、壁パネル２のフック部の内側片を後方に位置する床パン１の立上片１ｃに圧接させているので、内側片と立上片１ｃとの隙間を水密状態に保持し、浴室内の水分を外部へ漏れないよう防水している。
【図面の簡単な説明】
【００２７】
【図１】本発明の一実施形態の床パンと壁パネルの接合構造を示す要部の縦断面図である。
【図２】同上の床パンと壁パネルの接合構造の要部を示す斜視図である。
【図３】、同上の床パンと壁パネルの接合構造を用いた浴室の平面図である。
【図４】本発明の実施形態の同上と異なる床パンと壁パネルの接合構造を示す要部の縦断面図である。
【図５】本発明の実施形態のさらに同上と異なる床パンと壁パネルの接合構造を示す要部の縦断面図である。
【図６】本発明の実施形態のさらに同上と異なる床パンと壁パネルの接合構造を示す要部の縦断面図である。
【符号の説明】
【００２８】
１    床パン
１ａ    立ち上げ部
１ｂ    パネル支持面
１ｃ    立上片
１ｄ    テーパ面
２    壁パネル
２ａ    壁パネル表面
２ｂ    折曲片
２ｃ    起立片
２ｄ    係止孔
３    ハンガー
３ａ    補強部
３ｂ    立設片
３ｃ    水平片
３ｄ    垂下片
３ｅ    誘い込み部
３ｆ    面取り部
４    断熱材
５    ゴムパッキン
６    防水コーキング材
７    接着材
【図１】
2005336847.tif 000003
【図２】
2005336847.tif 000004
【図３】
2005336847.tif 000005
【図４】
2005336847.tif 000006
【図５】
2005336847.tif 000007
【図６】
2005336847.tif 000008